(57)【特許請求の範囲】
【請求項１】
角底紙袋用製袋原紙の紙筒側部箇所を折り込んで前後を開口する紙筒を成形する製筒工程と、前記紙筒の一方の開口の底縁の底折を行う底折工程とを備え、前記紙筒の底部内面に底部補強材を設ける角底紙袋の製造方法において、前記底折工程前に紙筒の底縁の一側部の内面に前記底部補強材を配置し、この底部補強材を配置した状態で前記一側部を前記底部内面に折り畳んで該底部補強材を前記底部内面に配置した後、前記底縁の他側部を折り畳むことを特徴とする角底紙袋の製造方法。
【請求項２】
前記一側部を、左右の前記側部間の左右方向折線と、この左右方向折線の端部と前記側部の底縁との間の斜め折線とから折り畳み、前記一側部の左右方向折線と連続する前記側部の前後方向折線から、前記底縁の前記側部を折り畳んだ後、左右の前記側部間の左右方向折線から前記他側部を折り畳むことを特徴とする請求項１記載の角底紙袋の製造方法。
【請求項３】
角底紙袋用製袋原紙の紙筒側部箇所をＭ字状に折り込むことを特徴とする請求項１又は２記載の角底紙袋の製造方法。
【請求項４】
前記一側部に底部補強材を取り付けた後、この底部補強材を取り付けた状態で前記一側部を折り畳むことを特徴とする請求項１〜３のいずれか１項に記載の角底紙袋の製造方法。
【請求項５】
請求項１記載の角底紙袋の製造方法により製造され、紙筒の一方の開口の底縁を底折して底部を形成し、その底部の内面に底部補強材を設けた角底紙袋において、
前記紙筒の左右の側部間の左右方向折線とこの左右方向折線の端部と前記側部の底縁との間の斜め折線から折り畳まれ、内面に底部補強材を設けた前記底縁の一側部と、
前記左右方向折線と連続する前記側部の前後方向折線から前記一側部の外面に重ね合わせて折り畳んだ前記底縁の前記側部と、
前記一側部の他側の左右方向折線から、前記底縁の前記側部の外面に重ね合わせて折り畳んだ前記底縁の他側部と、
を備えることを特徴とする角底紙袋。
【発明の詳細な説明】
【技術分野】
【０００１】
本発明は、角底紙袋の底部内面に底部補強材を設ける角底紙袋の製造方法とその角底紙袋に関する。
【背景技術】
【０００２】
従来、図８に示すように、底部１Ａを角底とした紙袋１が知られており、この種の角底紙袋１は、製袋機により機械的に折曲げ加工され、自動的に成形される。そして、製袋機により成形される角底紙袋１は、底部１Ａを内側に折り畳んで貼り合わせることから、紙袋１内の収容物によって紙袋１の底部１Ａが破損などしないように紙袋１の底部１Ａを補強する必要がある。このため、従来、例えばボール紙などの比較的厚い底部補強材２を紙袋１の底部１Ａの内面に敷いて紙袋１の底部１Ａを二重構造としていた（例えば特許文献１）。
【０００３】
このような角底紙袋を製袋機により成形する場合、まず両側を略Ｍ字状に折り込んだ扁平な紙筒を作り、この紙筒の袋口を折り込んで底部となる底折りを行う。そして、その扁平な紙筒５を作る方法として、図９（Ａ）に示すように、製袋原紙10の一端縁部とほぼ中央部分に３本の平行な折筋６ａ，６ｂ，６ａと７ａ，７ｂ，７ａを形成し、図９（Ｂ）に示すように、その折筋６ａ，６ｂ，６ａと７ａ，７ｂ，７ａをＭ字状に折り込み、製袋原紙10の外端縁部に糊付けした後、製袋原紙10を中央部から二つ折りに折畳んで外端縁の糊付部を貼り合わせることによって、図９（Ｂ）に示すように、両側部にＭ字状の折込部６，７を有する偏平な紙筒５を形成する。そして、このように二つ折りされた紙筒５を角底製袋機に供給して紙筒５の底を折込んで角底紙袋１を成形している。
【特許文献１】特開平１１−９１０１２号公報
【発明の開示】
【発明が解決しようとする課題】
【０００４】
上記のように、紙袋１は、製袋機により自動的に成形できるものの、紙袋１の底部１Ａ内面に組み込む底部補強材２は、紙袋１と別途、紙袋１の底部１Ａの大きさに合わせて切断し、これを完成した紙袋１の内部に１枚毎手作業で挿入しており、底部補強材２の組み込みを効率よくできる方法及び装置の開発が望まれていた。
【０００５】
そこで、本発明は、このような問題を解決し、紙筒の底部内面に底部補強材を簡便に設けることができる角底紙袋の製造方法とその角底紙袋を提供することを目的とする。
【課題を解決するための手段】
【０００６】
上記課題を解決するため、本発明の請求項１記載の角底紙筒の製造方法は、角角底紙袋用製袋原紙の紙筒側部箇所を折り込んで前後を開口する紙筒を成形する製筒工程と、前記紙筒の一方の開口の底縁の底折を行う底折工程とを備え、前記紙筒の底部内面に底部補強材を設ける角底紙袋の製造方法において、前記底折工程前に紙筒の底縁の一側部の内面に前記底部補強材を配置し、この底部補強材を配置した状態で前記一側部を前記底部内面に折り畳んで該底部補強材を前記底部内面に配置した後、前記底縁の他側部を折り畳む製造方法である。
【０００７】
本発明の請求項２記載の角底紙袋の製造方法は、前記一側部を、左右の前記側部間の左右方向折線と、この左右方向折線の端部と前記側部の底縁との間の斜め折線とから折り畳み、前記一側部の左右方向折線と連続する前記側部の前後方向折線から、前記底縁の前記側部を折り畳んだ後、左右の前記側部間の左右方向折線から前記他側部を折り畳む製造方法である。
【０００８】
本発明の請求項３記載の角底紙袋の製造方法は、角底紙袋用製袋原紙の紙筒側部箇所をＭ字状に折り込む製造方法である。
【０００９】
本発明の請求項４記載の角底紙袋の製造方法は、前記一側部に底部補強材を取り付けた後、この底部補強材を取り付けた状態で前記一側部を折り畳む製造方法である。
【００１０】
本発明の請求項５記載の角底紙袋は、請求項１記載の角底紙袋の製造方法により製造され、紙筒の一方の開口の底縁を底折して底部を形成し、その底部の内面に底部補強材を設けた角底紙袋において、前記紙筒の左右の側部間の左右方向折線とこの左右方向折線の端部と前記側部の底縁との間の斜め折線から折り畳まれ、内面に底部補強材を設けた前記底縁の一側部と、前記左右方向折線と連続する前記側部の前後方向折線から前記一側部の外面に重ね合わせて折り畳んだ前記底縁の前記側部と、
前記一側部の他側の左右方向折線から、前記底縁の前記側部の外面に重ね合わせて折り畳んだ前記底縁の他側部と、を備えるものである。
【発明の効果】
【００１１】
請求項１の構成によれば、底折工程前に、紙筒の底縁の一側部の内面に底部補強材を設け、この底部補強材を配置した状態で一側部を折り畳んだ後、これに重ねるようにして底縁の他側部を折り畳むことにより、底折と同時に底部内面に底部補強材を設けることができる。これにより、底部補強材の組み込みを効率よく行うことができ、自動化にも適したものとなる。
【００１２】
請求項２の構成によれば、底部補強材と共に一側部を、左右の前記側部間の左右方向折線と、この左右方向折線の端部と前記側部の底縁との間の斜め折線とから折り畳むことにより、底部補強材が紙筒の底部に配置され、この後、前記左右方向折線と連続する前後方向折線から、前記側部の底縁を折り畳んだ後、左右方向折線から前記他側部を折り畳むことにより、底部補強材を備えた底部を形成することができる。
【００１３】
請求項３の構成によれば、側部をＭ字状に折り込んだ紙筒の底部内面に、底部補強材を設けることができる。
【００１４】
請求項４の構成によれば、前記一側部の内面に底部補強材を取り付けた後、この底部補強材を取り付けた状態で一側部を折り畳むことにより、折り畳み時に一側部に対して底部補強材が位置ずれすることがなく、補強材を所定位置に配置することができる。
【００１５】
請求項５の構成によれば、底部補強材を簡便に設けることができる角形紙袋を提供することができる。
【発明を実施するための最良の形態】
【００１６】
以下、本発明の実施例について図１〜図７を参照して説明する。なお、図８〜図９の従来例で示した紙筒５と同一機能を有する部分には同一符号を付し、異なる部分についてのみ説明する。
【実施例１】
【００１７】
紙袋１は図示しない製袋機により、所定サイズに裁断した一枚の製袋原紙10を機械的に折り曲げて成形される。また、紙袋１の底部１Ａを補強する底部補強材２は、底折工程前の例えば紙袋１の製筒工程前の平面的に展開された製袋原紙10に糊付けされる。
【００１８】
製筒工程では、図１（Ａ）のように、予め折癖をつけるために一縁部とほぼ中間部に、３本の平行な折筋６ａ，６ｂ，６ａと折筋７ａ，７ｂ，７ａを製袋原紙10に刻設し、図１（Ｂ）のように、この折筋６ａ，７ａを刻設した製袋原紙10の一側縁部とほぼ中央部とをＭ字状に折り込んで外縁同士を貼り合わせることによって、図１（Ｃ）のように、前後を開口する紙筒５を成形し、この紙筒５の左右の側部５Ｓ，５Ｓには、Ｍ字状の折込部６，７が形成される。尚、前記製袋原紙10の一縁部とほぼ中間部が、紙筒５の左右の側部５Ｓ，５Ｓとなる紙筒側部箇所である。そして、好ましくは、この紙筒５を成形する前に、予め紙袋１の底部１Ａに応じたサイズに切断した底部補強材２を、製袋原紙10に貼り付ける。尚、図１（Ｃ）のように紙筒５を形成してから、底部補強材２を貼り付けてもよい。
【００１９】
前記底部補強材２は、前記折筋６ａ，７ａ間の底縁１Ｆの一側部11の内面に配置させて給紙し、接着剤にて該底縁１Ｆの一側部11に糊付けする。このように糊付けなどの接着により、底縁１Ｆの一側部11の内面に底部補強材２を取り付ける。また、底部補強材２は、底折後、紙袋１の底部１Ａに内面に沿うように、製袋原紙10の底縁１Ｆから所定寸法だけ突出して接着する。そして、図１（Ｂ）で示すように、各折筋６ａ，７ａをＭ字状に折り込みながら中間部の折筋７ａ部分から製袋原紙10を二つ折りする。この二つ折り前の製袋原紙10が展開した状態で、前記底部補強材２が前記一側部11の内面に取り付けられる。そして、折筋６ａの外縁に形成された糊代13に製袋原紙10の他方の外縁を糊付けし、図１（ｃ）で示すように、前後を開口した紙筒５を形成する。したがって、底部補強材２が紙筒５の一側部11に貼り付けられた状態で、次工程の底折工程が行われ、このように底折工程の前に一側部11に底部補強材２が取り付けられる。
【００２０】
紙筒５の底折工程について、図２〜図７を参照して説明する。製筒工程で二折りされた紙筒５は、図２に示すように、底折りのための２本の平行した折筋21，22が紙筒５の底縁１Ｆ寄り刻設され、これら折筋21，22は底縁１Ｆと略平行をなす。尚、図２では、理解を容易にするため、側部５Ｓを伸ばして開口を開いた状態を図示している。また、紙筒５の側部５Ｓ，５Ｓには、前記折筋21と折筋６ｂ，７ｂとの交差箇所と、前記折筋22と折筋６ａ，６ａ，７ａ，７ａとの交差箇所との間にそれぞれ上斜め折筋23，23，23，23を形成しておく。この上斜め折筋23は、紙筒５の内面側に凸に形成され、折筋６ｂ，７ｂに対して略45度の角度で形成されている。そして、図１（Ｃ）の状態から、図３に示すように、上部側の折筋21から底縁１Ｆ側を、例えば９０度程度折り曲げ、図４に示すように、底縁１Ｆを広げながら、折筋21，22と上斜め折筋23，23，23，23を折り込み、左右方向折線21Ｓ，21Ｓ，前後方向折線21Ｚ，21Ｚ，左右方向折線22Ｓ，22Ｓ，前後方向折線22Ｚ，22Ｚ及び上斜め折線23Ｕを形成して紙筒５の底縁１Ｆを角形に開口させる。尚、図４の状態で、左右方向折線22Ｓ，22Ｓ及び前後方向折線22Ｚ，22Ｚ箇所において、原紙10は略９０度に折られている。
【００２１】
そして、前記一側部11は、左右方向折線22Ｓと底縁１Ｆと折筋６ａ，７ｂに囲まれた部分であり、前記他側部14は、一側部11と対向する位置で、左右方向折線22Ｓと底縁１Ｆと折筋６ａ，７ｂに囲まれた部分であり、一方の底縁１Ｆの側部５Ｓとは、左右方向折線22Ｓと底縁１Ｆと折筋６ａ，６ａに囲まれた部分であり、他方の底縁１Ｆの側部５Ｓとは、左右方向折線22Ｓと底縁１Ｆと折筋７ａ，７ａに囲まれた部分である。
【００２２】
また、紙筒５の底縁１Ｆの左右の側部５Ｓ，５Ｓには、一側面11の左右方向折線21Ｓの両端と折筋６ａ，７ａとの交差箇所と、側部５Ｓの底縁１Ｆとの間に、下斜め折筋24，24が設けられ、この下斜め折筋24は、紙筒５の外面側に凸に形成されると共に、底縁１Ｆに対して略45度の角度で形成されている。また、一側面11の反対側には前記他側面14が位置し、この他側面14の左右方向折線22Ｓの両端と折筋６ａ，７ａとの交差箇所と、他側面14の底縁１Ｆとの間に、他側斜め折筋25，25が設けられ、この他側斜め折筋25は、紙筒５の外面側に凸に形成されると共に、底縁１Ｆに対して略45度の角度で形成されている。
【００２３】
次に、図５に示すように、底部補強材２と共に一側部11を、前記左右方向折線22Ｓから内側に折り畳むと共に、その一側部11の左右方向折線22Ｓの端部と底縁１Ｆとの間の下斜め折筋24から折り畳み、これにより、下斜め折筋24が下斜め折線24Ｓになる。尚、一側部11の両側の折筋６ａ，７ａ箇所は前後方向折線22Ｚ，22Ｚの内面側に沿うように折り込む。このようにして折り込むことにより、一側部11全体を紙袋１の底部１Ａの内面に折り込むことができる。この後、図６に示すように、側部５Ｓ，５Ｓの底縁１Ｆ，１Ｆを前後方向折線22Ｚから前記一側部11に重ね合わせるように折り重ねると共に、他側斜め折筋25，25を折り込んで他側斜め折線25Ｔ，25Ｔを形成する。この後、図７に示すように、前記他側内面14を左右方向折線21Ｓから折り畳んで一側部11に重ね合わせる。この他側内面14を折り畳む前に、該他側内面14に糊付けし、該他側内面14を底縁１Ｆの一側面11又は底縁１Ｆの側部５Ｓ，５Ｓの外面に張り付け、紙袋１の底部１Ａを形成する。尚、底縁１Ｆの側部５Ｓを一側部11に接着するようにしてもよい。
【００２４】
尚、前記２本の折筋21，22の間隔Ｋは、図２に示すように、紙袋１の最大開口巾Ｗ、すなわち、紙袋１の底部１Ａの巾の半分の巾となる。また、折筋22から底縁１Ｆまでの一側部11及び他側部14の巾Ｋ１は底折りの際、これら一側部11及び他側部14が相互にラップするよう紙袋１の最大開口巾Ｗより広く設定されている。
【００２５】
このように本実施例では、請求項１に対応して、角底紙袋用製袋原紙10の紙筒側部箇所を折り込んで前後を開口する紙筒５を成形する製筒工程と、紙筒５の一方の開口の底縁１Ｆの底折を行う底折工程とを備え、紙筒５の底部内面に底部補強材２を設ける角底紙袋の製造方法において、前記底折工程前に紙筒５の底縁１Ｆの一側部の内面に底部補強材２を配置し、この底部補強材２を配置した状態で一側部11を底部内面に折り畳んだ後、底縁１Ｆの他側部14を折り畳むから、底折工程前に、紙筒５の底縁１Ｆの一側部11の内面に底部補強材２を設け、この底部補強材２を配置した状態で一側部11を折り畳んだ後、これに重ねるようにして底縁１Ｆの他側部14を折り畳むことにより、底折と同時に底部１Ａ内面に底部補強材２を設けることができる。これにより、底部補強材２の組み込みを効率よく行うことができ、自動化にも適したものとなる。
【００２６】
また、このように本実施例では、請求項２に対応して、底部補強材２の左右の長さは一側部11とほぼ同一であり、一側部11を、左右の側部５Ｓ，５Ｓ間の左右方向折線22Ｓと、この左右方向折線22Ｓの端部と側部５Ｓの底縁１Ｆとの間の斜め折線24Ｓ，24Ｓとから折り畳み、一側部11の左右方向折線22Ｓと連続する側部５Ｓの前後方向折線22Ｚから、底縁１Ｆの側部５Ｓ，５Ｓを折り畳んだ後、左右の側部５Ｓ，５Ｓ間の左右方向折線22Ｓから他側部14を折り畳むから、底部補強材２と共に一側部11を、左右の側部５Ｓ，５Ｓ間の左右方向折線22Ｓと、この左右方向折線22Ｓの端部と側部５Ｓの底縁１Ｆとの間の斜め折線たる下斜め折線24，24とから折り畳むことにより、底部補強材２が紙筒５の底部１Ａに配置され、この後、左右方向折線22Ｚと連続する前後方向折線22Ｚから、側部５Ｓの底縁１Ｆを折り畳んだ後、左右方向折線22Ｚから他側部を折り畳むことにより、底部補強材２を備えた底部１Ａを形成することができる。
【００２７】
また、このように本実施例では、請求項３に対応して、角底紙袋用製袋原紙10の紙筒側部箇所をＭ字状に折り込むから、側部５ＳをＭ字状に折り込んだ紙筒５の底部１Ａ内面に、底部補強材２を設けることができる。
【００２８】
また、このように本実施例では、請求項４に対応して、一側部11に底部補強材２を取り付けた後、この底部補強材２を取り付けた状態で一側部11を折り畳むから、折り畳み時に一側部11に対して底部補強材２が位置ずれすることがなく、底部補強材２を所定位置に配置することができる。
【００２９】
また、このように本実施例では、請求項５に対応して、紙筒５の一方の開口の底縁１Ｆを底折して底部１Ａを形成し、その底部１Ａの内面に底部補強材２を設けた角底紙袋において、紙筒５の左右の側部５Ｓ，５Ｓ間の左右方向折線22Ｚとこの左右方向折線22Ｚの端部と側部５Ｓ，５Ｓの底縁１Ｆとの間の斜め折線たる下斜め折線24，24から折り畳まれ、内面に底部補強材２を設けた底縁１Ｆの一側部11と、左右方向折線22Ｓと連続する側部５Ｓ，５Ｓの前後方向折線22Ｚ，22Ｚから一側部11の外面に重ね合わせて折り畳んだ底縁１Ｆの側部５Ｓ，５Ｓと、一側部11の他側の左右方向折線22Ｓから、底縁１Ｆの側部５Ｓの外面に重ね合わせて折り畳んだ底縁５Ｓの他側部14と、を備えるから、製造において、底部補強材２を簡便に設けることができる角形紙袋１を提供することができる。
【００３０】
また、実施例上の効果として、原紙10を展開した状態で、底部補強材２を取り付けるから、取付工程を簡便に行うことができる。
【実施例２】
【００３１】
図１０は本発明の実施例２を示し、上記実施例１と同一部分に同一符号を付し、その詳細な説明を省略して詳述すると、同図に示すように、この例では、下斜め折筋24及び他側斜め折筋25などの折筋を設けることなく、紙筒５の一方の開口の底縁１Ｆの底折を行う例であり、底部補強材２と共に一側部11を、前記左右方向折線22Ｓから内側に折り畳むと共に、その一側部11の左右方向折線22Ｓの端部と底縁１Ｆとの間に、前記下斜め折線24Ｓを形成する。尚、一側部11の両側の折筋６ａ，７ａ箇所は前後方向折線22Ｚ，22Ｚの内面側に沿うように折り込む。このようにして折り込むことにより、一側部11全体を紙袋１の底部１Ａの内面に折り込むことができる。この後、図６に示したように、側部５Ｓ，５Ｓの底縁１Ｆ，１Ｆを前後方向折線22Ｚから前記一側部11に重ね合わせるように折り重ねると共に、他側斜め折線25Ｔ，25Ｔを形成する。
【００３２】
このように本実施例のように、各請求項に対応して、上記実施例１と同様な作用・効果を奏し、また、この例のように各工程において、折筋を設けずに、原紙10を折るようにしてもよい。
【００３３】
以上、本発明の実施例について詳述したが、本発明は前記各実施例に限定されるものではなく、本発明の要旨の範囲内で種々の変形実施が可能である。例えば、底部補強材は、板状部材としてボール紙以外でも各種の材質のものを用いることができる。また、製袋原紙に底部補強材を貼り付ける時点は、折筋の刻設前であってもよく、製袋原紙を平面的に展開した状態で貼り付けることが好ましいが、底折する前であれば、折筋の外縁に形成された糊代に製袋原紙の他方の外縁を糊付けして紙筒を形成した後でもよい。また、所定サイズに裁断した製袋原紙に底部補強材を貼着する場合に限らず、ロール状に巻き取った巻取紙を引き出しながら、巻取紙に底部補強材を貼り付け、これを所定サイズに切断するように構成してもよい。また、請求項１においては、一側部を折り畳んだ後、他側部を折り畳み、この後、側部を折り畳むようにしても良いし、他側部や側部の形状も適宜選定可能である。
【図面の簡単な説明】
【００３４】
【図１】本発明の実施例１の製造方法を示す斜視図であり、製造工程順に、図１（Ａ）は折筋を形成した製袋原紙、図１（Ｂ）は二つ折り中の製袋原紙、図１（Ｃ）は扁平な紙筒を示す。
【図２】同上、紙筒の要部を示し、図２（Ａ）は斜視図、図２（Ｂ）は平面図である。
【図３】同上、製造工程を示す斜視図であり、底縁側を上側の折筋から折り曲げた状態を示す。
【図４】同上、製造工程において底縁を開いた状態を示し、図４（Ａ）は斜視図、図４（Ｂ）は平面図を示す。
【図５】同上、製造工程において底縁の一側部を折り畳んだ状態を示し、図５（Ａ）は斜視図、図５（Ｂ）は平面図を示す。
【図６】同上、製造工程において底縁の側部を折り畳んだ状態を示し、図６（Ａ）は斜視図、図６（Ｂ）は平面図を示す。
【図７】同上、製造工程において底縁の他側部を折り畳んだ状態を示し、図７（Ａ）は斜視図、図７（Ｂ）は平面図を示す。
【図８】従来例を示す紙袋の斜視図である。
【図９】従来の製造方法を示す斜視図であり、製造工程順に、図９（Ａ）は折筋を形成した製袋原紙、図９（Ｂ）は二つ折り中の製袋原紙、図９（Ｃ）は扁平な紙筒を示す。
【図１０】同上、製造工程において底縁を開いた状態を示し、図１０（Ａ）は斜視図、図１０（Ｂ）は平面図を示す。
【符号の説明】
【００３５】
１  紙袋
１Ａ  底部
１Ｆ  底縁
２  底部補強材
５  紙筒
５Ｓ  側部
10  製袋原紙
11  一側部
14  他側部
22  折筋
22Ｚ  前後方向折線
22Ｓ  左右方向折線
24Ｓ  下斜め折線（斜め折線）
【図１】
0004807658.tif 000002
【図２】
0004807658.tif 000003
【図３】
0004807658.tif 000004
【図４】
0004807658.tif 000005
【図５】
0004807658.tif 000006
【図６】
0004807658.tif 000007
【図７】
0004807658.tif 000008
【図８】
0004807658.tif 000009
【図９】
0004807658.tif 000010
【図１０】
0004807658.tif 000011